(57)【要約】  プラント監視制御において内部パラメータの調整の作業負荷を低減可能なプラント運用支援システムを得ること。運用支援装置（１０３）で実行される演算処理について、汎用的な形式の演算処理単位が記録されているデータ操作定義データベース（１１２）と、演算処理単位によって一段または多段階の演算処理が構築され、演算処理単位に設定された内部パラメータによって運用支援装置（１０３）で実行される演算処理の内容を規定する演算手法定義データベース（１１３）と、演算処理の演算処理単位毎の出力データを記録するデータ対応関係データベース（１１４）と、データ対応関係データベース（１１４）から演算処理単位で出力データを収集する表示データ収集装置（１１５）と、演算処理単位毎の出力データを表示し、内部パラメータの設定を受け付けるパラメータ調整用入出力装置（１１１）と、を備える。
2017168816.tif 000002
【特許請求の範囲】
【請求項１】
プラントの監視制御で使用されるプラント運用支援システムであって、
運用支援装置で実行される演算処理について、組み合わせ可能な汎用的な形式の演算処理単位が記録されているデータ操作定義データベースと、
前記データ操作定義データベースに記録されている前記演算処理単位によって一段または多段階の演算処理が構築され、前記演算処理単位に設定された内部パラメータによって前記運用支援装置で実行される演算処理の内容を規定する演算手法定義データベースと、
前記運用支援装置で実行された前記演算処理の前記演算処理単位毎の出力データを記録し、前記演算処理単位の入力データと出力データとの組み合わせを特定するためのデータ対応関係情報を記録するデータ対応関係データベースと、
前記データ対応関係データベースから前記演算処理単位で出力データを収集する表示データ収集装置と、
前記表示データ収集装置で収集された前記演算処理単位毎の出力データを表示し、前記内部パラメータの設定を受け付けるパラメータ調整用入出力装置と、
を備えることを特徴とするプラント運用支援システム。
【請求項２】
前記データ対応関係データベースから任意の演算処理単位の出力データおよび利用された入力データを抽出し、入力データと出力データとの対応関係が判別可能な表示情報を生成するデータ変化情報作成装置、
を備え、
前記パラメータ調整用入出力装置は、前記データ変化情報作成装置で生成された表示情報を表示する、
ことを特徴とする請求項１に記載のプラント運用支援システム。
【請求項３】
ユーザによって指定された演算処理単位毎の選択可否情報を記録する注目演算データベース、
を備え、
前記データ変化情報作成装置は、前記注目演算データベースに選択可と記録されている演算処理単位について、前記データ対応関係データベースから出力データおよび利用された入力データを抽出し、入力データと出力データとの対応関係が判別可能な表示情報を生成する、
ことを特徴とする請求項２に記載のプラント運用支援システム。
【請求項４】
前記パラメータ調整用入出力装置を介して、ユーザによって指定された出力データの種類の選択可否情報、およびユーザによって指定された期間毎の選択可否情報のいずれかまたは両方を記録する注目データデータベース、
を備え、
前記データ変化情報作成装置は、前記注目データデータベースに選択可と記録されている出力データまたは期間に対応する演算処理単位について、前記データ対応関係データベースから出力データおよび利用された入力データを抽出し、入力データと出力データとの対応関係が判別可能な表示情報を生成する、
ことを特徴とする請求項３に記載のプラント運用支援システム。
【請求項５】
前記運用支援装置で実行された前記演算処理の前記演算処理単位の出力データの精度が規定された精度の範囲内か否かを判定するパラメータ評価装置と、
前記パラメータ評価装置において出力データの精度が規定された精度の範囲内にないと判定された演算処理単位について、前記演算手法定義データベースに設定されている前記内部パラメータを補正するパラメータ自動補正装置と、
を備え、
前記パラメータ自動補正装置は、補正した前記内部パラメータに対応する演算処理単位の情報を前記注目演算データベースに記録する、または、補正した前記内部パラメータに対応する演算処理単位の出力データの情報または期間の情報を前記注目データデータベースに記録する、
ことを特徴とする請求項４に記載のプラント運用支援システム。
【発明の詳細な説明】
【技術分野】
【０００１】
本発明は、プラントの監視制御で使用されるプラント運用支援システムに関する。
【背景技術】
【０００２】
上下水道または発電所などのプラントは、広範囲に分布する設備から構成される。そのため、プラントの監視制御を行う場合、中央監視制御室を設けて中央監視制御盤を設置し、監視制御操作に関する情報をデータベースに蓄積しつつ、プラント全体の動向を一括して監視制御する方法が採用される場合が多い。上水道または発電所などのプラントにおける監視制御運用は、最終需要家である地域住民の動向の影響を受ける。また、下水道などのプラントにおける監視制御運用は、降雨などの自然現象の影響を受ける。そのため、これらのプラントでは、予め定められた運用操作を行うのではなく、状況によって運用操作内容を切り替える判断を行わなければならない。【０００３】
プラント運用支援装置は、プラント操作員が運用操作を検討する際の手助けとなる情報を作成および表示する装置である。プラント毎に異なるが、主なプラント運用支援装置の運用支援機能には、センサ計測データからセンサ計測をしていない地点または将来の状態を推定するプラントシミュレーション機能、および、過去の計測データとプラント操作履歴データとから操作ガイダンスを生成する操作ガイダンス生成機能などがある。一般に、これらの運用支援機能は、様々な内部パラメータを有する。内部パラメータの一部は、出力調整用として使用され、シミュレーション精度および演算出力結果のパターンなどを確認しつつ、値の調整が行われる。【０００４】
プラント運用中に、シミュレーション精度が悪化した場合、またはプラント運用操作方針の変更が発生した場合、内部パラメータを調整する必要がある。従来、内部パラメータの調整は、プラント操作員または設計者が独自に検討を行い、手動で設定値を変更していた。これらの調整作業には専門的な知識を必要とする場合が多く、また調整作業そのものの負荷が高いという課題があった。内部パラメータの調整作業を支援するための手法は過去より検討が行われている。例えば、特許文献１には、パラメータ調整作業を計算機が自動的に行うことで、パラメータ調整に掛る作業負荷を削減するプラント監視制御用パラメータ調整支援装置についての技術が開示されている。特許文献１に記載の技術によれば、各装置のパラメータ調整に必要な計算手法をソフトウェアオブジェクトとして登録しているため、任意のプラント構成に対応することができる利点がある。
【先行技術文献】
【特許文献】
【０００５】
【特許文献１】特開２００２−９１５０４号公報
【発明の概要】
【発明が解決しようとする課題】
【０００６】
突発的な事故などにより履歴データ内にイレギュラーなデータが含まれる場合、演算精度を悪化させる可能性があることから、プラント操作員または設計者は、内部演算を読み解いて原因究明と対策を検討しなければならない。しかしながら、特許文献１に記載の技術では、プラント監視制御用パラメータ調整支援装置には要因分析のためのインタフェースがない。そのため、オフラインでプラント操作員または設計者の手作業による調査および分析が必要となり、大きな作業負荷が発生する、という問題があった。【０００７】
本発明は、上記に鑑みてなされたものであって、プラント監視制御において内部パラメータの調整の作業負荷を低減可能なプラント運用支援システムを得ることを目的とする。
【課題を解決するための手段】
【０００８】
上述した課題を解決し、目的を達成するために、本発明はプラントの監視制御で使用されるプラント運用支援システムである。プラント運用支援システムは、運用支援装置で実行される演算処理について、組み合わせ可能な汎用的な形式の演算処理単位が記録されているデータ操作定義データベースを備える。また、プラント運用支援システムは、データ操作定義データベースに記録されている演算処理単位によって一段または多段階の演算処理が構築され、演算処理単位に設定された内部パラメータによって運用支援装置で実行される演算処理の内容を規定する演算手法定義データベースを備える。また、プラント運用支援システムは、運用支援装置で実行された演算処理の演算処理単位毎の出力データを記録し、演算処理単位の入力データと出力データとの組み合わせを特定するためのデータ対応関係情報を記録するデータ対応関係データベースを備える。また、プラント運用支援システムは、データ対応関係データベースから演算処理単位で出力データを収集する表示データ収集装置を備える。また、プラント運用支援システムは、表示データ収集装置で収集された演算処理単位毎の出力データを表示し、内部パラメータの設定を受け付けるパラメータ調整用入出力装置を備えることを特徴とする。
【発明の効果】
【０００９】
本発明によれば、プラント監視制御において内部パラメータの調整の作業負荷を低減できる、という効果を奏する。
【図面の簡単な説明】
【００１０】
【図１】実施の形態１にかかるプラント運用支援システムの構成例を示すブロック図
【図２】実施の形態１にかかるデータ対応関係データベースに記録されるデータ対応関係情報を模式的に示した図
【図３】実施の形態１にかかるプラント運用支援システムにおいてユーザが演算処理単位の内部パラメータを調整する処理の作業ステップを示すフローチャート
【図４】実施の形態１にかかるプラント運用支援システムにおいて演算処理単位の内部パラメータの設定を受け付けてからデータ操作の演算処理の結果を表示するまでの処理を示すフローチャート
【図５】ユーザが内部パラメータをまとめて調整する処理の作業ステップを示すフローチャート
【図６】実施の形態１のプラント運用支援システムのハードウェア構成の例を示す図
【図７】実施の形態２にかかるプラント運用支援システムの構成例を示すブロック図
【図８】実施の形態２にかかるデータ変化情報作成装置がパラメータ調整用入出力装置に表示する、任意の演算処理によって得られた出力データの画面表示のイメージの例を示す図
【図９】実施の形態２にかかるデータ変化情報作成装置がパラメータ調整用入出力装置に表示する、任意の演算処理に利用された入力データの画面表示のイメージの例を示す図
【図１０】実施の形態２にかかるプラント運用支援システムにおいて、演算処理の結果である出力データおよび演算処理に利用された入力データを表示する処理を示すフローチャート
【図１１】実施の形態３にかかるプラント運用支援システムの構成例を示すブロック図
【図１２】実施の形態３にかかるプラント運用支援システムにおいて、演算処理の結果である出力データおよび演算処理に利用された入力データを表示する処理を示すフローチャート
【図１３】実施の形態４にかかるプラント運用支援システムの構成例を示すブロック図
【図１４】実施の形態４にかかるプラント運用支援システムにおいて、演算処理の結果である出力データおよび演算処理に利用された入力データを表示する処理を示すフローチャート
【図１５】実施の形態５にかかるプラント運用支援システムの構成例を示すブロック図
【図１６】実施の形態５にかかるプラント運用支援システムにおいて演算処理単位の内部パラメータを補正する処理を示すフローチャート
【発明を実施するための形態】
【００１１】
以下に、本発明の実施の形態にかかるプラント運用支援システムを図面に基づいて詳細に説明する。なお、この実施の形態によりこの発明が限定されるものではない。
【００１２】
実施の形態１．
図１は、本発明の実施の形態１にかかるプラント運用支援システム１の構成例を示すブロック図である。プラント運用支援システム１は、プラントの監視制御で使用されるシステムである。図１に示すプラント運用支援システム１のうち、プラント監視制御装置１０１、プラント計測値データベース１０２、運用支援装置１０３、演算後データデータベース１０４、ガイダンス作成装置１０５、およびガイダンスデータデータベース１０６については、従来から利用されているプラント監視制御装置並びに運用支援装置などの構成を示すものである。
【００１３】
プラント監視制御装置１０１は、対象のプラントの各設備に設置されたセンサによって計測されたセンサ情報などの計測信号である計測値を収集し、プラント監視制御装置１０１内の出力デバイス上に表示する。また、プラント監視制御装置１０１は、内部の入力デバイスなどを通じて入力された制御信号をプラントの各設備を制御する制御装置に送信し、プラントの各設備を遠隔操作する。また、プラント監視制御装置１０１は、後述するガイダンス作成装置１０５で作成され、ガイダンスデータデータベース１０６に記録されているガイダンス情報を出力デバイス上に表示する。プラント監視制御装置１０１は、センサ情報などの各種計測値を中央監視制御装置にて収集し、プラント全体の動向が解るように一括して表示する装置である。プラント監視制御装置１０１は、収集した計測値および入力された制御信号などのデータをプラント計測値データベース１０２に記録させる。
【００１４】
プラント計測値データベース１０２は、プラント監視制御装置１０１によって収集された計測値およびプラント監視制御装置１０１に入力された制御信号などのデータを記録する。通常、プラント計測値データベース１０２に記録されたデータは、過去事例の検索および分析作業などに利用される。
【００１５】
運用支援装置１０３は、プラント計測値データベース１０２に記録されたデータに基づいて、プラント操作員または設計者などのユーザが運用操作を検討する際の手助けとなるシミュレーションまたは予測などの演算処理を行い、演算処理の結果を表示する。運用支援装置１０３は、シミュレーションまたは予測などの演算処理の結果を演算後データとして演算後データデータベース１０４に記録させる。
【００１６】
演算後データデータベース１０４は、運用支援装置１０３による演算処理の結果である演算後データを記録する。
【００１７】
ガイダンス作成装置１０５は、運用支援装置１０３による演算処理の結果である演算後データに基づいて、ユーザに提示するガイダンス情報を作成する。ガイダンス作成装置１０５は、作成したガイダンス情報をガイダンスデータデータベース１０６に記録させる。
【００１８】
ガイダンスデータデータベース１０６は、ガイダンス作成装置１０５で作成されたガイダンス情報を記録する。
【００１９】
図１に示すプラント運用支援システム１のうち、パラメータ調整用入出力装置１１１、データ操作定義データベース１１２、演算手法定義データベース１１３、データ対応関係データベース１１４、および表示データ収集装置１１５は、従来から利用されている前述の構成に対して、本実施の形態において付加される装置などである。
【００２０】
データ操作定義データベース１１２は、運用支援装置１０３で実行される演算処理について、組み合わせ可能な汎用的な形式の演算処理単位で記録している。演算処理単位は、ユーザが管理する範囲において個々の演算処理の内容を示す最小単位となるものである。データ操作定義データベース１１２に記録される演算処理単位の例としては、「平均値を算出する」、「最大値を算出する」などが挙げられる。平均値を算出する場合、演算式のほかに平均値を算出するために必要となるデータ数が内部パラメータとして与えられる。最大値を算出する場合も同様に、演算式のほかに最大値を算出するために必要となるデータ数が内部パラメータとして与えられる。これらの内部パラメータは、後述するように、パラメータ調整用入出力装置１１１によって、演算手法定義データベース１１３において設定される。
【００２１】
演算手法定義データベース１１３は、演算処理単位に設定された内部パラメータによって運用支援装置１０３で実行される演算処理の内容を規定して記録している。演算手法定義データベース１１３では、運用支援装置１０３で実行される演算処理は、データ操作定義データベース１１２に記録されている１つまたは複数の演算処理単位によって、一段または多段階の演算処理が構築されている。例えば、運用支援装置１０３において、ある計測値の平均値を算出した後に最大値を算出する演算処理を実現する場合、演算手法定義データベース１１３では、データ操作１「計測値データを入力とし、Ｍ個のデータを用いて平均値を算出」、および、データ操作２「データ操作１が算出したデータ入力とし、Ｎ個のデータを用いて最大値を算出」の２段階の演算処理を記録する。ここで、データ操作１における値Ｍは平均値の内部パラメータを意味し、データ操作２における値Ｎは最大値の内部パラメータを意味している。演算処理単位の組み合わせおよび順番、また内部パラメータについては、ユーザがパラメータ調整用入出力装置１１１を介して設定できるものとする。
【００２２】
データ対応関係データベース１１４は、運用支援装置１０３で実行された演算処理の演算処理単位毎の出力データおよび利用された入力データを記録し、演算処理単位の入力データと出力データとの組み合わせを特定するためのデータ対応関係情報を記録している。図２は、実施の形態１にかかるデータ対応関係データベース１１４に記録されるデータ対応関係情報を模式的に示した図である。時刻情報２０１および計測値情報２０２は、プラント計測値データベース１０２に記録されている情報のうち、運用支援装置１０３において演算処理に使用するため抽出された情報を記録したものである。また、データ操作情報２０３Ａ，２０３Ｂは、運用支援装置１０３で実行された演算処理の各演算処理単位における出力データを記録したものである。
【００２３】
例えば、運用支援装置１０３が、データ操作１「計測値データを入力とし、２個のデータを用いて平均値を算出」、および、データ操作２「データ操作１が算出したデータを入力とし、２個のデータを用いて最大値を算出」の２段階の演算処理を実行した場合を想定する。この場合、データ操作１（２０３Ａ）の項には、運用支援装置１０３によって、計測値情報２０２の平均値が２データ周期で記録される。また、データ操作２（２０３Ｂ）の項には、運用支援装置１０３によって、データ操作１（２０３Ａ）の出力値の最大値が２データ周期で記録される。さらに、データ対応関係データベース１１４は、計測値情報２０２とデータ操作１（２０３Ａ）との間で互いの入出力データを対応付けて記録している。また、データ対応関係データベース１１４は、データ操作１（２０３Ａ）とデータ操作２（２０３Ｂ）との間で互いの入出力データを対応付けて記録している。データ対応関係データベース１１４は、図２に示す入力データおよび出力データ、すなわち入出力データの情報をデータ対応関係情報として記録している。
【００２４】
表示データ収集装置１１５は、演算手法定義データベース１１３から演算処理の情報を収集し、データ対応関係データベース１１４からデータ対応関係情報すなわち演算処理単位毎の出力データを収集する。表示データ収集装置１１５は、演算手法定義データベース１１３に記録されている各演算処理単位について、データ対応関係データベース１１４に記録されているデータ対応関係情報を抽出し、各演算処理単位に対応する出力データをパラメータ調整用入出力装置１１１に表示する。
【００２５】
パラメータ調整用入出力装置１１１は、表示データ収集装置１１５で収集された演算処理単位毎の出力データを表示する。また、パラメータ調整用入出力装置１１１は、ユーザからの操作を受け付けて、演算手法定義データベース１１３に記録されている内部パラメータの設定、および、演算処理単位の組み合わせおよび順番の設定などを行う。
【００２６】
つぎに、プラント運用支援システム１において、ユーザが演算処理単位の内部パラメータを調整する作業について説明する。図３は、実施の形態１にかかるプラント運用支援システム１においてユーザが演算処理単位の内部パラメータを調整する処理の作業ステップを示すフローチャートである。ここでは、一例として、運用支援装置１０３が２段階の演算処理、すなわち演算処理単位であるデータ操作１および演算処理単位であるデータ操作２による演算処理を実行する場合について説明する。
【００２７】
まず、ユーザは、パラメータ調整用入出力装置１１１を介して、演算手法定義データベース１１３にデータ操作１の内部パラメータを設定する（ステップＳ１）。
【００２８】
図４は、実施の形態１にかかるプラント運用支援システム１において演算処理単位の内部パラメータの設定を受け付けてからデータ操作の演算処理の結果を表示するまでの処理を示すフローチャートである。パラメータ調整用入出力装置１１１は、ユーザの操作を受け付けて、演算手法定義データベース１１３にデータ操作１の内部パラメータを設定する（ステップＳ１１）。運用支援装置１０３は、演算手法定義データベース１１３に設定されたデータ操作１の内部パラメータを用いてデータ操作１の演算処理を行う（ステップＳ１２）。運用支援装置１０３は、データ操作１の入出力データを含むデータ対応関係情報をデータ対応関係データベース１１４に記録する（ステップＳ１３）。表示データ収集装置１１５は、演算手法定義データベース１１３からデータ操作１の情報を収集し、データ対応関係データベース１１４からデータ操作１のデータ対応関係情報を収集する（ステップＳ１４）。表示データ収集装置１１５は、収集した情報から、データ操作１の出力データをパラメータ調整用入出力装置１１１に表示する（ステップＳ１５）。
【００２９】
図３のフローチャートに戻って、ユーザは、パラメータ調整用入出力装置１１１の表示、すなわち運用支援装置１０３でデータ操作１の演算処理が実行され、運用支援装置１０３から出力されたデータ操作１の出力データを確認する（ステップＳ２）。ユーザは、設定した内部パラメータを用いたデータ操作１の演算処理の結果である出力データがＮＧと判定した場合（ステップＳ３：Ｎｏ）、ステップＳ１に戻って、データ操作１の内部パラメータを設定する（ステップＳ１）。ユーザは、設定した内部パラメータを用いたデータ操作１の演算処理の結果である出力データがＯＫと判定した場合（ステップＳ３：Ｙｅｓ）、データ操作２の内部パラメータを設定する（ステップＳ４）。
【００３０】
プラント運用支援システム１において、データ操作２の内部パラメータの設定を受け付けてからデータ操作２の演算処理の結果である出力データを表示するまでの処理は、前述の図４のフローチャートと同様である。
【００３１】
ユーザは、パラメータ調整用入出力装置１１１の表示、すなわち運用支援装置１０３でデータ操作２の演算処理が実行され、運用支援装置１０３から出力されたデータ操作２の出力データを確認する（ステップＳ５）。ユーザは、設定した内部パラメータを用いたデータ操作２の演算処理の結果である出力データがＮＧと判定した場合（ステップＳ６：Ｎｏ）、ステップＳ４に戻って、データ操作２の内部パラメータを設定する（ステップＳ４）。ユーザは、設定した内部パラメータを用いたデータ操作２の演算処理の結果である出力データがＯＫと判定した場合（ステップＳ６：Ｙｅｓ）、現在設定されているデータ操作１，２の内部パラメータを使用することを最終決定する（ステップＳ７）。
【００３２】
このように、ユーザは、データ操作すなわち個々の演算処置単位毎に内部パラメータを設定して演算処理の結果を確認できるため、データ操作毎に内部パラメータを決定していくことができる。
【００３３】
ここで、比較例として、ユーザが内部パラメータをまとめて調整する場合の作業について説明する。図５は、ユーザが内部パラメータをまとめて調整する処理の作業ステップを示すフローチャートである。
【００３４】
まず、ユーザは、データ操作１の内部パラメータを設定し（ステップＳ２１）、データ操作２の内部パラメータを設定する（ステップＳ２２）。ユーザは、運用支援装置１０３による全データ操作１，２の演算処理実行後の出力データを確認する（ステップＳ２３）。ユーザは、設定した内部パラメータを用いたデータ操作１，２の演算処理実行後の出力データがＮＧと判定した場合（ステップＳ２４：Ｎｏ）、ステップＳ２１に戻って、データ操作１の内部パラメータを設定し（ステップＳ２１）、データ操作２の内部パラメータを設定する（ステップＳ２２）。ユーザは、設定した内部パラメータを用いたデータ操作１，２の演算処理実行後の出力データがＯＫと判定した場合（ステップＳ２４：Ｙｅｓ）、現在設定されているデータ操作１，２の内部パラメータを使用することを最終決定する（ステップＳ２５）。
【００３５】
このように、ユーザは、全データ操作１，２の演算処理実行後の出力データを確認し、ＮＧと判定した場合は全データ操作１，２の内部パラメータを最初から設定し直すことになる。運用支援装置による全データ操作１，２の演算処理実行後の出力データは、データ操作１，２の各内部パラメータによって変化する。そのため、ユーザは、データ操作１，２の各内部パラメータをトライアンドエラーで調整しなければならない。これに対して、本実施の形態のプラント運用支援システム１を用いた場合、ユーザは、効率的に、データ操作すなわち演算処理単位毎に内部パラメータを設定し、決定することができる。
【００３６】
つづいて、プラント運用支援システム１のハードウェア構成について説明する。図６は、実施の形態１のプラント運用支援システム１のハードウェア構成の例を示す図である。プラント運用支援システム１において、プラント計測値データベース１０２、演算後データデータベース１０４、ガイダンスデータデータベース１０６、データ操作定義データベース１１２、演算手法定義データベース１１３、およびデータ対応関係データベース１１４はメモリ９２により実現される。プラント監視制御装置１０１、運用支援装置１０３、およびパラメータ調整用入出力装置１１１は、ＬＣＤ（Liquid  Crystal  Display）などのディスプレイ９３、パーソナルコンピュータなどに搭載されたキーボードまたはマウスなどの入力インタフェース９４を備えるとともに、メモリ９２に格納された各構成用のプログラムをＣＰＵ（Central  Processing  Unit）９１が実行することにより実現される。ガイダンス作成装置１０５および表示データ収集装置１１５は、メモリ９２に格納された各構成用のプログラムをＣＰＵ９１が実行することにより実現される。
【００３７】
ＣＰＵ９１は、処理装置、演算装置、マイクロプロセッサ、マイクロコンピュータ、プロセッサ、またはＤＳＰ（Digital  Signal  Processor）などであってもよい。また、メモリ９２とは、例えば、ＲＡＭ（Random  Access  Memory）、ＲＯＭ（Read  Only  Memory）、フラッシュメモリ、ＥＰＲＯＭ（Erasable  Programmable  ＲＯＭ）、ＥＥＰＲＯＭ（Electrically  ＥＰＲＯＭ）などの、不揮発性または揮発性の半導体メモリ、磁気ディスク、フレキシブルディスク、光ディスク、コンパクトディスク、ミニディスク、またはＤＶＤ（Digital  Versatile  Disc）などが該当する。
【００３８】
以上説明したように、本実施の形態によれば、プラント運用支援システム１では、運用支援装置１０３で実行される演算処理が複数の演算処理単位で構築されている場合において、個々の演算処理単位毎に内部パラメータを設定し、運用支援装置１０３で実行されて得られた演算処理単位毎の出力データを表示することとした。これにより、プラント運用支援システム１は、ユーザに対して、演算処理単位で、内部パラメータを変更した場合に出力データにどのような影響を与えるかを提示することができる。ユーザは、プラント運用支援システム１に表示される演算処理単位毎の出力データを確認できることから、内部パラメータの修正の影響範囲を特定し、論理的に内部パラメータの調整作業を実施でき、作業時間を短縮することができる。
【００３９】
実施の形態２．
実施の形態２では、各データ操作すなわち演算処理単位で出力データとともに入力データを表示する。実施の形態１と異なる部分について説明する。
【００４０】
図７は、実施の形態２にかかるプラント運用支援システム１ａの構成例を示すブロック図である。プラント運用支援システム１ａは、実施の形態１のプラント運用支援システム１に、データ変化情報作成装置１１６を追加したものである。
【００４１】
突発的な事故などによってプラント監視制御装置１０１で収集された計測値にイレギュラーなデータが含まれる場合、運用支援装置１０３がイレギュラーな計測値データを使用してデータ操作の演算処理を実行すると、演算処理の結果すなわち出力データの精度が悪化する可能性がある。ユーザがイレギュラーな計測値データの存在に気が付いている場合、ユーザがプラント計測値データベース１０２に記録された計測値データを編集することで、出力データの精度を回復できる。しかしながら、ユーザがイレギュラーな計測値データの存在に気が付いていない場合、ユーザは運用支援装置１０３の演算処理を読み解いて原因究明および対策を検討しなければならず、大きな作業負荷が発生する。
【００４２】
データ変化情報作成装置１１６は、データ対応関係データベース１１４から任意の演算処理単位の出力データおよび利用された入力データを抽出し、入力データと出力データとの対応関係が判別可能な表示情報を生成し、パラメータ調整用入出力装置１１１に、運用支援装置１０３で実行された演算処理の結果である出力データ、および運用支援装置１０３の演算処理で利用された入力データを表示する。データ変化情報作成装置１１６は、データ対応関係データベース１１４から、入出力データとしてデータ対応関係情報を抽出してもよい。パラメータ調整用入出力装置１１１は、データ変化情報作成装置１１６で生成された表示情報を表示する。
【００４３】
データ変化情報作成装置１１６は、演算処理の結果の精度が悪化した場合などにおける要因分析のためのユーザインタフェースであり、原因究明にかかるユーザの作業負荷の抑制を実現するものである。データ変化情報作成装置１１６は、図２の例では、データ操作２の入力データとして、データ対応関係データベース１１４から前段のデータ操作１による演算結果である「１１０」および「１０５」のデータを抽出し、データ操作２の出力データとして、データ対応関係データベース１１４からデータ操作２による演算結果である「１１０」のデータを抽出する。
【００４４】
図８は、実施の形態２にかかるデータ変化情報作成装置１１６がパラメータ調整用入出力装置１１１に表示する、任意の演算処理によって得られた出力データの画面表示のイメージの例を示す図である。図９は、実施の形態２にかかるデータ変化情報作成装置１１６がパラメータ調整用入出力装置１１１に表示する、任意の演算処理に利用された入力データの画面表示のイメージの例を示す図である。
【００４５】
データ変化情報作成装置１１６は、図８および図９に示す画面をパラメータ調整用入出力装置１１１に同時に表示してもよいし、ユーザの操作または自動で交互に表示してもよい。データ変化情報作成装置１１６は、任意の演算処理において利用された入力データと出力データとの関係が把握しやすいように、例えば、対応する入力データおよび出力データの組み合わせをアニメーション表示にしてもよいし、対応する入力データおよび出力データの組み合わせの表示色を変えてもよい。図８および図９では、図８に示す１つの白丸のデータを演算処理から得るために、図９に示す５つの白丸のデータが利用されていることを示している。
【００４６】
ユーザは、図９の５つの白丸のデータのうち、左から３番目のデータのみ他のデータと値が異なっていることが解る。そのため、ユーザは、図８の白丸のデータの値が図８の黒丸のデータの値と異なっている要因は、図９における左から３番目の白丸のデータが要因であると推測することができる。ユーザは、パラメータ調整用入出力装置１１１を介して、データ変化情報作成装置１１６がパラメータ調整用入出力装置１１１に表示する演算処理単位の入出力データを選択できるものとする。このように、ユーザは、データ変化情報作成装置１１６がパラメータ調整用入出力装置１１１に表示する演算処理単位の入出力データを参照することにより、演算処理単位の最終結果から出発し、運用支援装置１０３で実行される演算処理、すなわち複数の演算処理単位を一段階ずつ遡ることで、最終的に出力データの変動の要因となったイレギュラーデータの特定に到達することができる。
【００４７】
図１０は、実施の形態２にかかるプラント運用支援システム１ａにおいて、演算処理の結果である出力データおよび演算処理に利用された入力データを表示する処理を示すフローチャートである。プラント運用支援システム１ａにおいて、運用支援装置１０３は、演算手法定義データベース１１３を参照して、演算手法定義データベース１１３に規定されている演算処理を実行し（ステップＳ３１）、データ対応関係情報をデータ対応関係データベース１１４に記録させる（ステップＳ３２）。データ変化情報作成装置１１６は、データ対応関係データベース１１４から、ユーザによって指定された演算処理単位の入出力データを抽出し（ステップＳ３３）、パラメータ調整用入出力装置１１１に表示する（ステップＳ３４）。
【００４８】
なお、実施の形態２にかかるプラント運用支援システム１ａについては、実施の形態１のプラント運用支援システム１と同様、図６に示すハードウェア構成により実現される。プラント運用支援システム１ａにおいて、データ変化情報作成装置１１６は、メモリ９２に格納されたデータ変化情報作成装置１１６用のプログラムをＣＰＵ９１が実行することにより実現される。
【００４９】
以上説明したように、本実施の形態によれば、プラント運用支援システム１ａでは、任意の演算処理単位で、運用支援装置１０３の演算処理によって得られた出力データ、および運用支援装置１０３の演算処理に利用された入力データを対応関係が判別できるように表示することとした。これにより、プラント運用支援システム１ａは、実施の形態１の効果に加えて、ユーザに対して、演算処理単位で入出力データを提示することができる。ユーザは、演算処理単位を指定することで、注目している出力データの変化を特定することができ、要因分析を容易に実行することができる。
【００５０】
実施の形態３．
実施の形態３では、データ変化情報作成装置１１６が抽出する入出力データの対象の演算処理単位を指定する。実施の形態２と異なる部分について説明する。
【００５１】
図１１は、実施の形態３にかかるプラント運用支援システム１ｂの構成例を示すブロック図である。プラント運用支援システム１ｂは、実施の形態２のプラント運用支援システム１ａに、注目演算データベース１２１を追加したものである。
【００５２】
演算手法定義データベース１１３において運用支援装置１０３で実行される演算処理が複雑で多段階の演算処理単位で規定されている場合、実施の形態２で説明した要因分析をユーザが全ての演算処理単位を対象にして実施することは困難である。そのため、プラント運用支援システム１ｂでは、ユーザが、パラメータ調整用入出力装置１１１を介して、注目演算データベース１２１に、あらかじめ要因分析に必要となる演算処置単位の選択可否を指定できるようにする。
【００５３】
注目演算データベース１２１は、演算手法定義データベース１１３に規定されている演算処理の演算処理単位毎に、ユーザがどの演算処理単位に注目しているか選択された情報、すなわちユーザによって指定された演算処理単位毎の選択可否情報を記録している。例えば、演算手法定義データベース１１３において、運用支援装置１０３で実行される演算処理が３段階の演算処理単位、すなわちデータ操作１、データ操作２、データ操作３の３段階で構築されており、ユーザがデータ操作２のみに注目している場合を想定する。
【００５４】
この場合、データ変化情報作成装置１１６は、注目演算データベース１２１を参照し、注目演算データベース１２１において選択可と記録されている演算処理単位すなわちデータ操作２のみについて、データ対応関係データベース１１４から出力データおよび利用された入力データを抽出する。データ変化情報作成装置１１６は、抽出したデータ操作２について、入力データと出力データとの対応関係が判別可能な表示情報を生成し、パラメータ調整用入出力装置１１１に表示する。
【００５５】
データ変化情報作成装置１１６は、例えば、データ対応関係データベース１１４に記録されているデータ対応関係情報が図２に示すような場合、データ操作２の入力データとしてデータ操作１（２０３Ａ）の「１１０」および「１０５」を抽出し、データ操作２の出力データとしてデータ操作２（２０３Ｂ）の「１１０」を抽出する。実施の形態３では、データ変化情報作成装置１１６は、注目演算データベース１２１に選択可と記録されている演算処理単位について、データ対応関係データベース１１４から出力データおよび利用された入力データを抽出し、入力データと出力データとの対応関係が判別可能な表示情報を生成する。
【００５６】
図１２は、実施の形態３にかかるプラント運用支援システム１ｂにおいて、演算処理の結果である出力データおよび演算処理に利用された入力データを表示する処理を示すフローチャートである。プラント運用支援システム１ｂにおいて、運用支援装置１０３は、演算手法定義データベース１１３を参照して、演算手法定義データベース１１３に規定されている演算処理を実行し（ステップＳ３１）、データ対応関係情報をデータ対応関係データベース１１４に記録させる（ステップＳ３２）。データ変化情報作成装置１１６は、注目演算データベース１２１を参照し（ステップＳ４１）、データ対応関係データベース１１４から、注目演算データベース１２１で選択可が記録されている演算処理単位の入出力データを抽出し（ステップＳ４２）、パラメータ調整用入出力装置１１１に表示する（ステップＳ３４）。
【００５７】
なお、実施の形態３にかかるプラント運用支援システム１ｂについては、実施の形態１のプラント運用支援システム１と同様、図６に示すハードウェア構成により実現される。プラント運用支援システム１ｂにおいて、注目演算データベース１２１は、メモリ９２により実現される。
【００５８】
以上説明したように、本実施の形態によれば、プラント運用支援システム１ｂでは、ユーザが注目する演算処理単位の選択を記録し、データ変化情報作成装置１１６は、ユーザが注目する演算処理単位のみ、運用支援装置１０３の演算処理によって得られた出力データ、および運用支援装置１０３の演算処理に利用された入力データを対応関係が判別できるように表示することとした。これにより、プラント運用支援システム１ｂは、実施の形態１，２の効果に加えて、ユーザに対して、ユーザが注目する演算処理単位のみの入出力データを提示することができる。ユーザは、運用支援装置１０３で多段階の複雑な演算処理が実行される場合でも、注目している出力データの変化を特定することができ、要因分析を容易に実行することができる。
【００５９】
実施の形態４．
実施の形態４では、データ変化情報作成装置１１６が抽出する入出力データの対象の出力データまたは期間を指定する。実施の形態２，３と異なる部分について説明する。
【００６０】
図１３は、実施の形態４にかかるプラント運用支援システム１ｃの構成例を示すブロック図である。プラント運用支援システム１ｃは、実施の形態３のプラント運用支援システム１ｂに、注目データデータベース１２２を追加したものである。
【００６１】
演算手法定義データベース１１３において運用支援装置１０３で実行される演算処理が多くの入力データまたは出力データを必要とする演算処理単位で規定されている場合、データ変化情報作成装置１１６がパラメータ調整用入出力装置１１１に表示する入出力データのデータメッシュが細かくなり、要因分析のための表示がユーザにとって解りにくくなる可能性がある。そのため、プラント運用支援システム１ｃでは、ユーザが、パラメータ調整用入出力装置１１１を介して、注目データデータベース１２２に、ユーザが要因分析に必要とするデータの種類または運用支援装置１０３の演算処理の期間の選択可否を指定できるようにする。
【００６２】
注目データデータベース１２２は、演算手法定義データベース１１３に規定されている演算処理の演算処理単位毎に、ユーザがどの出力データの種類、および運用支援装置１０３の演算処理の期間に注目しているか選択された情報を記録している。すなわち、注目データデータベース１２２は、ユーザによって指定された出力データの種類の選択可否情報、およびユーザによって指定された期間毎の選択可否情報のいずれかまたは両方を記録している。
【００６３】
例えば、データの種類として、ユーザが図８に示す右側のデータを選択して注目データデータベース１２２に記録されているものとする。この場合、データ変化情報作成装置１１６は、注目データデータベース１２２を参照し、注目データデータベース１２２において記録されている図８に示す右側のデータについて、データ対応関係データベース１１４から出力データおよび利用された入力データを抽出する。データ変化情報作成装置１１６は、図８に示す右側のデータの表示色を変更し、右側のデータのみ白丸、真ん中および左側のデータを黒丸とする。データ変化情報作成装置１１６は、注目データデータベース１２２で選択されたデータについて、表示内容の変更を演算処理単位の各段階に共通して反映させる。そのため、データ変化情報作成装置１１６は、１段階前の演算処理単位の表示を行う場合、図８の右側の白丸データに対応した入力データとして、図９の右側５つのデータを白丸で表示させる。このように、データ変化情報作成装置１１６は、注目データデータベース１２２に選択可と記録されている出力データまたは期間に対応する演算処理単位について、データ対応関係データベース１１４から出力データおよび利用された入力データを抽出し、入力データと出力データとの対応関係が判別可能な表示情報を生成する。
【００６４】
なお、図８および図９では、データ選択としてデータの表示色を変更する手法が示されているが、一例であり、選択したデータの表示形状を変化させてもよいし、選択したデータのみ表示してもよい。
【００６５】
図１４は、実施の形態４にかかるプラント運用支援システム１ｃにおいて、演算処理の結果である出力データおよび演算処理に利用された入力データを表示する処理を示すフローチャートである。プラント運用支援システム１ｃにおいて、運用支援装置１０３は、演算手法定義データベース１１３を参照して、演算手法定義データベース１１３に規定されている演算処理を実行し（ステップＳ３１）、データ対応関係情報をデータ対応関係データベース１１４に記録させる（ステップＳ３２）。データ変化情報作成装置１１６は、注目データデータベース１２２を参照し（ステップＳ５１）、データ対応関係データベース１１４から、注目データデータベース１２２で選択可が記録されているデータまたは期間に対応する演算処理単位の入出力データを抽出し（ステップＳ５２）、パラメータ調整用入出力装置１１１に表示する（ステップＳ３４）。
【００６６】
なお、実施の形態４にかかるプラント運用支援システム１ｃについては、実施の形態１のプラント運用支援システム１と同様、図６に示すハードウェア構成により実現される。プラント運用支援システム１ｃにおいて、注目データデータベース１２２は、メモリ９２により実現される。
【００６７】
以上説明したように、本実施の形態によれば、プラント運用支援システム１ｃでは、ユーザが注目するデータまたは期間の選択を記録し、データ変化情報作成装置１１６は、ユーザが注目するデータまたは期間のみ、運用支援装置１０３の演算処理によって得られた出力データ、および運用支援装置１０３の演算処理に利用された入力データを対応関係が判別できるように表示することとした。これにより、プラント運用支援システム１ｃは、実施の形態１から３の効果に加えて、ユーザに対して、複雑な演算処理を単純化し、ユーザが注目するデータまたは期間のみの入出力データを提示することができる。ユーザは、運用支援装置１０３で多くの入力データまたは出力データを必要とする複雑な演算処理が実行される場合でも、注目している出力データの変化を特定することができ、要因分析を容易に実行することができる。なお、プラント運用支援システム１ｃは、注目演算データベース１２１を使用しない構成の場合においても適用可能である。
【００６８】
実施の形態５．
実施の形態５では、演算手法定義データベース１１３に設定されている内部パラメータを自動補正する。実施の形態４と異なる部分について説明する。
【００６９】
図１５は、実施の形態５にかかるプラント運用支援システム１ｄの構成例を示すブロック図である。プラント運用支援システム１ｄは、実施の形態４のプラント運用支援システム１ｃに、パラメータ評価装置１３１およびパラメータ自動補正装置１３２を追加したものである。
【００７０】
パラメータ評価装置１３１は、演算後データデータベース１０４に記録されている演算後データ、すなわち運用支援装置１０３で実行された演算処理により得られた出力データを参照し、演算処理単位の演算後データすなわち出力データが想定された精度の範囲内か否かを判定する。パラメータ評価装置１３１は、演算手法定義データベース１１３において規定されている運用支援装置１０３が実行する演算処理の演算処理単位毎に、精度を判定するための閾値が予め設定されているものとする。
【００７１】
パラメータ自動補正装置１３２は、パラメータ評価装置１３１において演算後データが想定された精度の範囲内に入っていないと判定された演算後データに対応する演算処理単位について、演算後データが想定された精度の範囲内に入るように、演算手法定義データベース１１３に設定されている内部パラメータを補正する。
【００７２】
ここで、パラメータ自動補正装置１３２が演算手法定義データベース１１３に設定されている演算処理単位の内部パラメータを修正した場合、ユーザにとって内部パラメータの変更がブラックボックス化されるため、ユーザは演算後データの状態が把握できず演算処理内容についての知見が得られない。そのため、パラメータ自動補正装置１３２は、補正した内部パラメータに対応する演算処理単位の情報を注目演算データベース１２１に記録し、補正した内部パラメータに対応する演算処理単位の出力データの情報または期間の情報を注目データデータベース１２２に記録する。なお、パラメータ自動補正装置１３２は、注目演算データベース１２１または注目データデータベース１２２のいずれかのみに記録するようにしてもよい。
【００７３】
これにより、データ変化情報作成装置１１６は、パラメータ評価装置１３１およびパラメータ自動補正装置１３２が実施した処理の内容を、実施の形態３，４に記載の処理によって、ユーザに対してパラメータ調整用入出力装置１１１を介して表示できる。
【００７４】
図１６は、実施の形態５にかかるプラント運用支援システム１ｄにおいて演算処理単位の内部パラメータを補正する処理を示すフローチャートである。パラメータ評価装置１３１は、運用支援装置１０３の演算後データが想定された精度の範囲内か否か確認する（ステップＳ６１）。運用支援装置１０３の演算後データが想定された精度の範囲内の場合（ステップＳ６１：Ｙｅｓ）、プラント運用支援システム１ｄは処理を終了する。
【００７５】
運用支援装置１０３の演算後データが想定された精度の範囲内にない場合（ステップＳ６１：Ｎｏ）、パラメータ自動補正装置１３２は、演算後データが想定された精度の範囲内に入るように、演算手法定義データベース１１３に設定されている演算処理単位の内部パラメータを補正する（ステップＳ６２）。パラメータ自動補正装置１３２は、補正した内部パラメータに対応する演算処理単位の情報を注目演算データベース１２１に記録し、補正した内部パラメータに対応する演算処理単位の出力データの情報または期間の情報を注目データデータベース１２２に記録する（ステップＳ６３）。
【００７６】
データ変化情報作成装置１１６は、注目演算データベース１２１および注目データデータベース１２２の一方または両方を参照し（ステップＳ６４）、データ対応関係データベース１１４から、注目演算データベース１２１または注目データデータベース１２２のいずれかに記録されている演算処理単位の入出力データを抽出し（ステップＳ６５）、パラメータ調整用入出力装置１１１に表示する（ステップＳ６６）。
【００７７】
なお、実施の形態５にかかるプラント運用支援システム１ｄについては、実施の形態１のプラント運用支援システム１と同様、図６に示すハードウェア構成により実現される。プラント運用支援システム１ｄにおいて、パラメータ評価装置１３１およびパラメータ自動補正装置１３２は、メモリ９２に格納された各構成用のプログラムをＣＰＵ９１が実行することにより実現される。
【００７８】
以上説明したように、本実施の形態によれば、プラント運用支援システム１ｄでは、運用支援装置１０３の演算後データが想定された精度の範囲内にない場合、演算手法定義データベース１１３に設定されている演算処理単位の内部パラメータを補正することとした。これにより、プラント運用支援システム１ｄは、実施の形態１から４の効果に加えて、ユーザの操作によらず、内部パラメータを適正な値に補正することができる。また、プラント運用支援システム１ｄでは、データ変化情報作成装置１１６が、自動補正された内部パラメータに対応する演算処理単位の入出力データをユーザに提示することができる。ユーザは、内部パラメータに対応する演算処理単位の入出力データを確認することで、内部パラメータが自動補正された際のパラメータ評価装置１３１およびパラメータ自動補正装置１３２の処理内容を把握でき、知見を得ることができる。なお、プラント運用支援システム１ｄは、注目演算データベース１２１または注目データデータベース１２２のいずれか１つのみ使用する構成の場合においても適用可能である。
【００７９】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００８０】
１，１ａ，１ｂ，１ｃ，１ｄ  プラント運用支援システム、１０１  プラント監視制御装置、１０２  プラント計測値データベース、１０３  運用支援装置、１０４  演算後データデータベース、１０５  ガイダンス作成装置、１０６  ガイダンスデータデータベース、１１１  パラメータ調整用入出力装置、１１２  データ操作定義データベース、１１３  演算手法定義データベース、１１４  データ対応関係データベース、１１５  表示データ収集装置、１１６  データ変化情報作成装置、１２１  注目演算データベース、１２２  注目データデータベース、１３１  パラメータ評価装置、１３２  パラメータ自動補正装置。
【図１】
2017168816.tif 000003
【図２】
2017168816.tif 000004
【図３】
2017168816.tif 000005
【図４】
2017168816.tif 000006
【図５】
2017168816.tif 000007
【図６】
2017168816.tif 000008
【図７】
2017168816.tif 000009
【図８】
2017168816.tif 000010
【図９】
2017168816.tif 000011
【図１０】
2017168816.tif 000012
【図１１】
2017168816.tif 000013
【図１２】
2017168816.tif 000014
【図１３】
2017168816.tif 000015
【図１４】
2017168816.tif 000016
【図１５】
2017168816.tif 000017
【図１６】
2017168816.tif 000018
【手続補正書】
【提出日】平成29年4月14日(2017.4.14)
【手続補正１】
【補正対象書類名】特許請求の範囲
【補正対象項目名】全文
【補正方法】変更
【補正の内容】
【特許請求の範囲】
【請求項１】
プラントの監視制御で使用されるプラント運用支援システムであって、
運用支援装置で実行される演算処理について、組み合わせ可能な汎用的な形式の演算処理単位が記録されているデータ操作定義データベースと、
前記データ操作定義データベースに記録されている前記演算処理単位によって一段または多段階の演算処理が構築され、前記演算処理単位に設定された内部パラメータによって前記運用支援装置で実行される演算処理の内容を規定する演算手法定義データベースと、
前記運用支援装置で実行された前記演算処理の前記演算処理単位毎の出力データを記録し、前記演算処理単位の入力データと出力データとの組み合わせを特定するためのデータ対応関係情報を記録するデータ対応関係データベースと、
前記データ対応関係データベースから前記演算処理単位で出力データを収集する表示データ収集装置と、
前記表示データ収集装置で収集された前記演算処理単位毎の出力データを表示し、前記内部パラメータの設定を受け付けるパラメータ調整用入出力装置と、
前記データ対応関係データベースから任意の演算処理単位の出力データおよび利用された入力データを抽出し、入力データと出力データとの対応関係が判別可能な表示情報を生成するデータ変化情報作成装置と、
を備え、
前記パラメータ調整用入出力装置は、前記データ変化情報作成装置で生成された表示情報を表示する、
ことを特徴とするプラント運用支援システム。
【請求項２】
ユーザによって指定された演算処理単位毎の選択可否情報を記録する注目演算データベース、
を備え、
前記データ変化情報作成装置は、前記注目演算データベースに選択可と記録されている演算処理単位について、前記データ対応関係データベースから出力データおよび利用された入力データを抽出し、入力データと出力データとの対応関係が判別可能な表示情報を生成する、
ことを特徴とする請求項１に記載のプラント運用支援システム。
【請求項３】
前記パラメータ調整用入出力装置を介して、ユーザによって指定された出力データの種類の選択可否情報、およびユーザによって指定された期間毎の選択可否情報のいずれかまたは両方を記録する注目データデータベース、
を備え、
前記データ変化情報作成装置は、前記注目データデータベースに選択可と記録されている出力データまたは期間に対応する演算処理単位について、前記データ対応関係データベースから出力データおよび利用された入力データを抽出し、入力データと出力データとの対応関係が判別可能な表示情報を生成する、
ことを特徴とする請求項２に記載のプラント運用支援システム。
【請求項４】
前記運用支援装置で実行された前記演算処理の前記演算処理単位の出力データの精度が規定された精度の範囲内か否かを判定するパラメータ評価装置と、
前記パラメータ評価装置において出力データの精度が規定された精度の範囲内にないと判定された演算処理単位について、前記演算手法定義データベースに設定されている前記内部パラメータを補正するパラメータ自動補正装置と、
を備え、
前記パラメータ自動補正装置は、補正した前記内部パラメータに対応する演算処理単位の情報を前記注目演算データベースに記録する、または、補正した前記内部パラメータに対応する演算処理単位の出力データの情報または期間の情報を前記注目データデータベースに記録する、
ことを特徴とする請求項３に記載のプラント運用支援システム。
【手続補正２】
【補正対象書類名】明細書
【補正対象項目名】０００８
【補正方法】変更
【補正の内容】
【０００８】
上述した課題を解決し、目的を達成するために、本発明はプラントの監視制御で使用されるプラント運用支援システムである。プラント運用支援システムは、運用支援装置で実行される演算処理について、組み合わせ可能な汎用的な形式の演算処理単位が記録されているデータ操作定義データベースを備える。また、プラント運用支援システムは、データ操作定義データベースに記録されている演算処理単位によって一段または多段階の演算処理が構築され、演算処理単位に設定された内部パラメータによって運用支援装置で実行される演算処理の内容を規定する演算手法定義データベースを備える。また、プラント運用支援システムは、運用支援装置で実行された演算処理の演算処理単位毎の出力データを記録し、演算処理単位の入力データと出力データとの組み合わせを特定するためのデータ対応関係情報を記録するデータ対応関係データベースを備える。また、プラント運用支援システムは、データ対応関係データベースから演算処理単位で出力データを収集する表示データ収集装置を備える。また、プラント運用支援システムは、表示データ収集装置で収集された演算処理単位毎の出力データを表示し、内部パラメータの設定を受け付けるパラメータ調整用入出力装置を備える。また、プラント運用支援システムは、データ対応関係データベースから任意の演算処理単位の出力データおよび利用された入力データを抽出し、入力データと出力データとの対応関係が判別可能な表示情報を生成するデータ変化情報作成装置を備える。パラメータ調整用入出力装置は、データ変化情報作成装置で生成された表示情報を表示することを特徴とする。
【国際調査報告】
2017168816.tif 000019
2017168816.tif 000020
2017168816.tif 000021
2017168816.tif 000022